【手続補正書】
【提出日】平成18年7月26日(2006.7.26)
【手続補正１】
【補正対象書類名】明細書
【補正対象項目名】００１５
【補正方法】変更
【補正の内容】
【００１５】
前記ハウジング１６は、図３および４の斜視図に示され、図１に示されるように印刷回路基板組立１４に固定されている。図３は、ベース１６の上面の斜視図であり、また図４は、ベース１６の底面の斜視図である。ハウジングベース１６は、好ましくは高温樹脂材料で構成される。ベース１６は、必要ではないが、ベース１６は、好ましくは単体部品として構成され、モールドされる。ベース１６は、図６Ｂの断面図に示される（以下に説明される）ように、信号トレース２２および接地トレース２４と印刷回路基板のようなその他の電気部品要素との間の接続を形成するようにする。
【手続補正２】
【補正対象書類名】明細書
【補正対象項目名】００１６
【補正方法】変更
【補正の内容】
【００１６】
図３に示されるように、ベース１６内に配置された複数のスロット３６がある。これらの各スロット３６は、図５Ａの組立図に示されるように印刷回路基板組立１４を受入れる。ただ１つの印刷回路基板だけが、図５Ａにおける１つのスロット３６内に挿入されているように示されているが、印刷回路基板組立１４が、図１に示されるように各ベーススロット３６内に配置されることが理解されるべきである。さらに、そのベース１６が、あらゆる数のスロット３６を有することが理解されるべきである。
【手続補正３】
【補正対象書類名】明細書
【補正対象項目名】００１７
【補正方法】変更
【補正の内容】
【００１７】
各スロット３６内には、複数の穴３８が配置される。図５Ａから最もよく理解されるように、印刷回路基板の各信号トレース用の穴３８がある。あらゆる数の穴が使用される。この穴３８は、図３、４および５Ａに関連して理解されるように、ベースの上部からベースの底部に配置されたポケット３９に延びている。このベース上面に対向するように、ベースの底部は、好ましくは平坦であり、スロットを有していない。
【手続補正４】
【補正対象書類名】明細書
【補正対象項目名】００１８
【補正方法】変更
【補正の内容】
【００１８】
図５Ｂは、取付けられた組立を有する図５Ａのポケット３９の１つを通してとった断面図であり、各ポケットの代表的なものである。図示されるように、金属要素４０の１つは、穴３８を通してポケット３９内に延びる。図示される好ましい実施例において、穴３８は、ポケット３９よりも直径または断面積が小さい。このことは、ポケット３９が、可溶性要素４８を収容するに充分大きいことが必要である一方で、穴３８が尖端４４を受入れるに充分大きいということだけが必要である。しかしながら、穴３８およびポケット３９の形状と大きさは、変更され得、あらゆる適切な金属要素４４および可溶性要素４８が嵌まり合う。
【手続補正５】
【補正対象書類名】明細書
【補正対象項目名】００１９
【補正方法】変更
【補正の内容】
【００１９】
好ましい実施例において、各穴３８内に配置された金属要素４０がある。この金属要素４０は、図３および４において示されるように、穴３８を介してベースの上部から、そしてベースポケット３９内に延びる。金属要素４０は、様々な形状をとることができる。例えば、図５Ｂに示されるように、金属要素４０は、前記穴の底に延びる単一の尖端４４、および図５Ｂに示されるように、回路基板の信号トレースに電気的に接続される１対の尖端４６を有することができる。好ましくは、それぞれの印刷回路基板組立１４は、側面の下部をおおって配置されたはんだパッド２８を有する。このはんだパッド２８は、前記信号トレース２２と電気的に接続される。尖端４６の対は、それによって金属要素４０と電気的に接続されるように信号トレース２２を配置するはんだパッドと接触し得る。
【手続補正６】
【補正対象書類名】明細書
【補正対象項目名】００２１
【補正方法】変更
【補正の内容】
【００２１】
図７に例証されるのは、コネクタ１０と図示された実施例において印刷回路基板であるその他の電気部品５０との結合を描いている概略断面図である。図７はまた、電気部品５０と、可溶性要素４８と、印刷回路基板組立１４との間の電気的接続を表わしている。図示されるように、印刷回路基板組立１４の各可溶性要素４８は、好ましくは、はんだパッドであって、結合する電気部品５０である対応するレセプタクル５２に近接して延びている。このように、電気的接続が、印刷回路基板組立１４と、結合される電気部品５０との間に与えられる。結合される電気部品５０は、ここに一例の目的で設けられる。多数の他の結合する組立またはコネクタが、回路基板組立１４とともに使用され、また電気部品５０が、ここに例証される目的のために使用されていることは、認識されるべきである。
【手続補正７】
【補正対象書類名】明細書
【補正対象項目名】００２４
【補正方法】変更
【補正の内容】
【００２４】
その他の好ましい実施例において、それは図６Ａおよび６Ｂに示されるが、金属要素４０は、使用されていない。これらの図は、金属要素４０が使用されていないこと以外は、図５Ａおよび５Ｂと同様である。各印刷回路基板組立１４は、ベーススロット３６内に挿入される。はんだペースト７０またはその他の適切な材料が、スロット３６内に、またベース穴３８およびポケット３９内に配置される。はんだペースト７０は、それがスロット３６と、穴３８と、ポケット３９との中に流れるように加熱されて、はんだパッドまたは信号トレースに接着する。はんだペースト７０はそのときに、信号トレースから可溶性要素に電気的接続を与える。はんだパッドは、使用される必要はないが、この実施例では使用されている。
【手続補正８】
【補正対象書類名】明細書
【補正対象項目名】００２５
【補正方法】変更
【補正の内容】
【００２５】
コネクタ１０を形成する方法は、好ましくは各印刷回路基板組立１４を組立てること、それから各印刷回路基板組立１４をハウジング１２内に挿入することを有する。このことは、もし金属要素４０が使用されるならば、金属要素４０の尖端間に各信号トレースを配置することを有する。このことは、印刷回路基板組立をベーススロット内に挿入することによって達成される。使用されているならばはんだペーストは加熱され、スロット３６内に流れ、信号トレースおよび金属要素４０をとり囲む。可溶性要素４８のそれぞれは、そのときにハウジングベースポケット３９内に挿入される。ベース１６は、印刷回路基板組立に取付けられ、さらにベース１６および組立１４は、ハウジング１２に取付けられる。電気部品は、そのとき、ベース１６と整列されて、ベース１６に取付けられる。このことは、各可溶性要素４８を加熱し、流して、電気接続を形成することによって、図５Ｂに示されるように、各可溶性要素４８と電気コネクタ５０の対応要素との間に電気的接続を形成することを有する。
【手続補正９】
【補正対象書類名】明細書
【補正対象項目名】００２８
【補正方法】変更
【補正の内容】
【００２８】
【図１】この発明の好ましい実施例によるコネクタの組立図。
【図２】図１の好ましい実施例の一部分の組立図。
【図３】図１のコネクタのベース部分の好ましい実施例の斜視平面図。
【図３Ａ】図３の詳細３Ａの拡大図。
【図４】図３の前記ベースの斜視底面図。
【図５Ａ】この発明の第２の好ましい実施例による印刷回路基板およびベースの組立図。
【図５Ｂ】前記搭載された組立を有する図５Ａの前記ベースポケットの１つを通してとった断面図。
【図６Ａ】この発明の第２の好ましい実施例による印刷回路基板およびベースの組立図。
【図６Ｂ】前記搭載された組立を有する図６Ａの前記ベースポケットの１つを通してとった断面図。
【図７】電気部品に接続されている図１のコネクタの好ましい実施例の側面図。
【手続補正１０】
【補正対象書類名】図面
【補正対象項目名】全図
【補正方法】変更
【補正の内容】
【図１】
2005535079.tif 000001
【図２】
2005535079.tif 000002
【図３】
2005535079.tif 000003
【図３Ａ】
2005535079.tif 000004
【図４】
2005535079.tif 000005
【図５Ａ】
2005535079.tif 000006
【図５Ｂ】
2005535079.tif 000007
【図６Ａ】
2005535079.tif 000008
【図６Ｂ】
2005535079.tif 000009
【図７】
2005535079.tif 000010